(57)【特許請求の範囲】
【請求項１】
外筒(10)に形成された円孔(11)に内筒(20)が回転自在に嵌合され、内筒(20)に形成された鍵孔(21)に鍵(30)のブレード部(32)を挿入することで、前記鍵(30)のブレード部(32)の端縁のキーコード(33)が外筒(10)と内筒(20)の回転境界面(S)に跨って互いの相対回転を阻止していたタンブラピン(14,24)を移動して外筒(10)に対する内筒(20)の相対回転を許可して解錠するシリンダ錠において、
前記鍵(30)のブレード部(32)の側面に鍵挿入方向に指向した溝条(36)が少なくとも１本形成され、
前記鍵孔(21)に前記鍵(30)が合致して挿入できるように前記鍵(30)の前記溝条(36)に嵌合する鍵挿入方向に指向した案内突条(26)が、前記内筒(20)の鍵孔内側面(25a)に形成され、
前記内筒(20)は、前記案内突条(26)が形成された鍵孔内側面(25a)を有した内筒突条部(25)が内筒本体部(22)から割り面(25b,25d,25e)で分割されて構成され、
前記内筒突条部(25)の前記案内突条(26)が形成された鍵孔内側面(25a)は、前記内筒(20)の外周面に一方の長尺辺(25ca)を有して鍵挿入方向に長尺の長方形をなし、
前記内筒本体部(22)から前記内筒突条部(25)を分割する前記割り面は、
前記鍵孔内側面(25a)の前記一方の長尺辺(25ca)に対応する他方の長尺辺(25ab)を共通の一方の長尺辺(25ab)とし他方の長尺辺(25bc)を前記内筒(20)の外周面上とし前記鍵孔内側面(25a)と所定角度を有する鍵挿入方向に長尺の扁平四角形状の扁平四角形割り側面(25b)および前記扁平四角形割り側面(25b)の短尺辺(25bd,25be)と前記鍵孔内側面(25a)の短尺辺(25ad,25ae)と前記内筒(20)の外周面上の円弧状曲線(25cd,25ce)との3辺で囲まれた扇形状の両端の扇形割り端面(25d,25e)であることを特徴とするシリンダ錠。
【請求項２】
前記扁平四角形割り側面(25b)は、前記内筒(20)の外周面上の長尺辺(25bc)が前記鍵孔内側面(25a)と共通の長尺辺(25ab)より長い扁平台形状をなすことを特徴とする請求項１記載のシリンダ錠。
【請求項３】
前記扁平四角形割り側面(85b)は長方形をなし、
前記内筒本体部(82)と前記内筒突条部(85)の前記扇形割り端面(85d,85e)に跨って鍵挿入方向に固定ピン(88)が貫通して前記内筒本体部(82)に前記内筒突条部(85)が固定されることを特徴とする請求項１記載のシリンダ錠。
【請求項４】
前記内筒突条部(25)は、高硬度の金属を素材に金型により加圧鋳造されて成形されることを特徴とする請求項１ないし請求項３のいずれか１項記載のシリンダ錠。
【発明の詳細な説明】
【技術分野】
【０００１】
本発明は、外筒に回転自在に嵌合された内筒の鍵孔に鍵を挿入することで、鍵のキーコードが外筒と内筒の回転境界面に跨っていたタンブラを移動して外筒に対する内筒の相対回転を許可して解錠するシリンダ錠に関する。
【背景技術】
【０００２】
この種のシリンダ錠は、通常内筒の鍵孔の内側面に鍵挿入方向に指向した少なくとも１本の案内突条が形成され、同案内突条に嵌合する溝条がブレード部の側面に形成された鍵のみが該鍵孔に挿入することができ、単に長尺平板状の工具を鍵孔に挿入されて悪戯されるのを防止している（例えば、特許文献１参照）。
【０００３】
また、内筒の鍵孔の入口部分にゲートピンを一部突出して鍵孔の内側面の案内突条の代わりにした例がある（例えば、特許文献２参照）。
【先行技術文献】
【特許文献】
【０００４】
【特許文献１】特許第４３５７３３８号公報
【特許文献２】特開平１１−８１７５５号公報
【０００５】
特許文献１に開示される通常のシリンダ錠の場合、外筒に回転自在に嵌合される内筒は、鍵孔の断面形状が案内突条により複雑な形状をしているので、外形が鋳造成型された後に鍵孔をブローチ削りにより加工している。
【発明の概要】
【発明が解決しようとする課題】
【０００６】
内筒の案内突条により複雑な断面形状の鍵孔を、多段の切れ刃からなる工具（ブローチ）を断面に垂直に運動させて荒削りから仕上げ削りまでを連続的に行うことになるので、ブローチ自体が細長く、ブローチマシンに精度良くセットしないと折損などの不具合が容易に発生してしまうため、ブローチのセットに非常に時間を要していた。
また、このブローチ削りの加工時間も長い。
さらに、ブローチ自体が高価である。
【０００７】
一方、特許文献２に開示されたシリンダ錠は、内筒の鍵孔の内側面に案内突条を有せずブローチ削りを必要としていないが、鍵孔の入口部分にゲートピンの角部を一部突出しているだけであるので、ゲートピンが高強度であって複数配列したとしても突出した角部は切削され易く削り取られる可能性がある。
【０００８】
本発明は、かかる点に鑑みなされたもので、その目的とする処は、内筒の鍵孔内側面に案内突条を有した鍵孔をブローチ削りによらずに金型成形等により短時間で容易に形成することができるシリンダ錠を安価に供する点にある。
【課題を解決するための手段】
【０００９】
上記目的を達成するために、請求項１記載の発明は、
外筒(10)に形成された円孔(11)に内筒(20)が回転自在に嵌合され、内筒(20)に形成された鍵孔(21)に鍵(30)のブレード部(32)を挿入することで、前記鍵(30)のブレード部(32)の端縁のキーコード(33)が外筒(10)と内筒(20)の回転境界面(S)に跨って互いの相対回転を阻止していたタンブラピン(14,24)を移動して外筒(10)に対する内筒(20)の相対回転を許可して解錠するシリンダ錠において、
前記鍵(30)のブレード部(32)の側面に鍵挿入方向に指向した溝条(36)が少なくとも１本形成され、
前記鍵孔(21)に前記鍵(30)が合致して挿入できるように前記鍵(30)の前記溝条(36)に嵌合する鍵挿入方向に指向した案内突条(26)が、前記内筒(20)の鍵孔内側面(25a)に形成され、
前記内筒(20)は、前記案内突条(26)が形成された鍵孔内側面(25a)を有した内筒突条部(25)が内筒本体部(22)から割り面(25b,25d,25e)で分割されて構成され、
前記内筒突条部(25)の前記案内突条(26)が形成された鍵孔内側面(25a)は、前記内筒(20)の外周面に一方の長尺辺(25ca)を有して鍵挿入方向に長尺の長方形をなし、
前記内筒本体部(22)から前記内筒突条部(25)を分割する前記割り面は、
前記鍵孔内側面(25a)の前記一方の長尺辺(25ca)に対応する他方の長尺辺(25ab)を共通の一方の長尺辺(25ab)とし他方の長尺辺(25bc)を前記内筒(20)の外周面上とし前記鍵孔内側面(25a)と所定角度を有する鍵挿入方向に長尺の扁平四角形状の扁平四角形割り側面(25b)および前記扁平四角形割り側面(25b)の短尺辺(25bd,25be)と前記鍵孔内側面(25a)の短尺辺(25ad,25ae)と前記内筒(20)の外周面上の円弧状曲線(25cd,25ce)との3辺で囲まれた扇形状の両端の扇形割り端面(25d,25e)であることを特徴とするシリンダ錠である。
【００１０】
請求項４記載の発明は、
請求項１ないし請求項３のいずれか１項記載のシリンダ錠において、
前記内筒突条部(25)は、高硬度の金属を素材に金型により加圧鋳造されて成形されることを特徴とする。
【００１２】
請求項２記載の発明は、
請求項１記載のシリンダ錠において、
前記扁平四角形割り側面(25b)は、前記内筒(20)の外周面上の長尺辺(25bc)が前記鍵孔内側面(25a)と共通の長尺辺(25ab)より長い扁平台形状をなすことを特徴とする。
【００１３】
請求項３記載の発明は、
請求項１記載のシリンダ錠において、
前記扁平四角形割り側面(85b)は長方形をなし、
前記内筒本体部(82)と前記内筒突条部(85)の前記扇形割り端面(85d,85e)に跨って鍵挿入方向に固定ピン(88)が貫通して前記内筒本体部(82)に前記内筒突条部(85)が固定されることを特徴とする。
【発明の効果】
【００１４】
請求項１記載のシリンダ錠によれば、鍵孔(21)の案内突条(26)が形成された鍵孔内側面(25a)を有した内筒突条部(25)が内筒本体部(22)から割り面(25b,25d,25e)で分割されて内筒(20)が構成されるので、内筒突条部(25)が案内突条(26)と一体に容易に成型することが可能で、この内筒突条部(25)を内筒本体部(22)に割り面(25b,25d,25e)で合せて組み合わせることで鍵孔内側面(25a)に案内突条(26)が形成される鍵孔(21)を構成することができ、鍵孔内側面(25a)に案内突条(26)を有する鍵孔(21)をブローチ削りによらずに形成し、短時間に低コストで内筒(20)を製造することができる。
鍵孔内側面(25a)には鍵挿入方向に長尺の案内突条(26)が形成されているので、簡単に案内突条(26)が削り取られることがなく、安易に工具が鍵孔に挿入されるのを防止することができる。
内筒突条部(25)の案内突条(26)が形成された鍵孔内側面(25a)は内筒(20)の外周面に一方の長尺辺(25ca)を有して鍵挿入方向に長尺の長方形をなし、内筒本体部(22)から内筒突条部(25)を分割する前記割り面は、鍵孔内側面(25a)の前記一方の長尺辺(25ca)に対応する他方の長尺辺(25ab)を共通の一方の長尺辺(25ab)とし他方の長尺辺(25bc)を内筒(20)の外周面上とし鍵孔内側面(25a)と所定角度を有する鍵挿入方向に長尺の扁平四角形状の扁平四角形割り側面(25b)および扁平四角形割り側面(25b)の短尺辺(25bd,25be)と鍵孔内側面(25a)の短尺辺(25ad,25ae)と内筒(20)の外周面上の円弧状曲線(25cd,25ce)との3辺で囲まれた扇形状の両端の扇形割り端面(25d,25e)であるので、内筒突条部(25)は、案内突条(26)が形成された鍵孔内側面(25a)と扁平四角形割り側面(25b)と内筒の外周面の一部円弧面(25c)からなる鍵挿入方向に長尺の３つの側面に囲まれ、両端の扇形割り端面(25d,25e)を前後両端面とする細長い棒状をなしており、鍵孔(21)の案内突条(26)を内筒突条部(25)と一体に鋳造等で容易に成形することが可能で、鍵孔をブローチ削りで加工する必要はない。
【００１５】
請求項４記載のシリンダ錠によれば、前記内筒突条部(25)は、高硬度の金属を素材に金型により加圧鋳造されて成形されるので、内筒本体部(22)とは別に高硬度の内筒突条部(25)を案内突条(26)と一体に精度良く短時間に成形することができる。
鍵孔(21)の案内突条(26)も高硬度で鍵挿入方向に長尺であるので、ドリル等により案内突条(26)が切削されるのを防止することができる。
【００１７】
請求項２記載のシリンダ錠によれば、前記扁平四角形割り側面(25b)は、内筒(20)の外周面上の長尺辺(25bc)の方が鍵孔内側面(25a)と共通の長尺辺(25ab)より長い扁平台形状をなすので、扁平台形状の扁平四角形割り側面(25b)の両短尺辺(25bd,25be)をそれぞれ辺とする両端の扇形割り端面(25d,25e)が鍵孔内側面(25a)に向かって互いに幅狭くなるように傾斜しており、内筒本体部(22)の内筒突条部(25)が欠損した部分に外側方から内筒突条部(25)を嵌挿すると、両端の扇形割り端面(25d,25e)が内筒本体部(22)の対応する扇形割り端面(22d,22e)に当接して円筒本体部(22)に内筒突条部(25)が位置決めされるため、こうして組付けられた内筒(20)を外筒(10)の円孔(11)に嵌挿することで、内筒突条部(25)の円弧面(25c)が外筒(10)の円孔(11)の内周面に支持されて内筒突条部(25)が内筒本体部(22)に固定される。
よって、少ない部品点数で簡単な組付け作業によりシリンダ錠を構成することができる。
【００１８】
請求項３記載のシリンダ錠によれば、前記扁平四角形割り側面(85b)は長方形をなし、内筒本体部(82)と内筒突条部(85)の扇形割り端面(85d,85e)に跨って鍵挿入方向に固定ピン(88)が貫通して内筒本体部(82)に内筒突条部(85)が固定されるので、内筒本体部(82)に内筒突条部(85)を固定した状態で組付けることができ、組付けられた内筒(80)を外筒(10)の円孔(11)により簡単に嵌挿することができる。
【図面の簡単な説明】
【００１９】
【図１】本発明の一実施の形態に係るシリンダ錠と鍵の斜視図である。
【図２】同シリンダ錠の分解斜視図である。
【図３】同シリンダ錠の縦断面図である。
【図４】同シリンダ錠の横断面図（図２のIII−III線断面図）である。
【図５】同シリンダ錠に鍵を挿入した状態の縦断面図である。
【図６】内筒の分解斜視図である。
【図７】内筒突条部の前面図である。
【図８】同内筒突条部の上面図（図７のVIII矢視図）である。
【図９】同内筒突条部の側面図（図７のIX矢視図）である。
【図１０】内筒本体部の側面図である。
【図１１】内筒の側面図である。
【図１２】同内筒の横断面図（図１１のXII−XII線断面図）である。
【図１３】別の実施の形態に係る内筒の分解斜視図である。
【図１４】同内筒の横断面図である。
【図１５】また別の実施の形態に係るシリンダ錠の分解斜視図である。
【図１６】同シリンダ錠の縦断面図である。
【図１７】同シリンダ錠の横断面図（図１６のXVII−XVII線断面図）である。
【発明を実施するための形態】
【００２０】
以下、本発明に係る一実施の形態について図１ないし図１２に基づいて説明する。
本実施の形態に係るシリンダ錠１は、外筒10に形成された円孔11に内筒20が回転自在に嵌合される。
外筒10の円孔11の内周面と内筒20の外周面が回転境界面（シアラインＳ）となる。
【００２１】
図２を参照して、外筒10は前端が拡径した前端円板部10ｆを有し、外筒10の円孔11は、外筒10の外径の半分以下の内径の円孔であり、外筒10の中心軸より下方に偏心した位置に前端円板部10ｆから後端面まで貫通して形成されており、前端円板部10ｆは若干拡径した大円開口部11ｆが形成されている。
【００２２】
一方、内筒20は、外筒10の円孔11に回動自在に嵌合する外径を有する円柱体であり、前端部に外筒10の大円開口部11ｆに嵌合する前端拡径部22ｆが形成され、後端面にはカム嵌合部22ｒが突出しており、同内筒20を外筒10の円孔11に嵌合すると、前端拡径部22ｆが外筒10の前面から若干前方に出るとともに、後端も外筒10の後面からカム嵌合部22ｒが突出し、この突出したカム嵌合部22ｒにシリンダカム28が嵌合されねじ29により締結される（図２，図３参照）。
【００２３】
内筒20は、その外周面の一部を中心軸に向かって径方向に切り込むようにして軸方向に長尺に切り欠いて鍵孔21が形成されている。
そして、この鍵孔21から径方向に延長して他方の外周面に開口するように穿設されたタンブラ孔23が鍵孔21に沿って順次並列に７本互いに近接して形成されている。
７本のタンブラ孔23は互いに近接して等間隔に配列されている。
７本のタンブラ孔23は鍵孔21との連通部の左右幅が若干狭くなっている。
【００２４】
一方、外筒10は、偏心した円孔11から偏心側とは反対側に延長して外周面に開口するように穿設されたタンブラ孔13が中心軸方向に順次並んで７本近接して形成されている。
外筒10の外周面における７本のタンブラ孔13の開口部は軸方向に指向して蟻溝10ｖが後端面から前端円板部10ｆ手前まで形成されている。
【００２５】
外筒10の７本のタンブラ孔13は、それぞれ円孔11に嵌合された内筒20の７本のタンブラ孔23と軸方向同一位置にあって、外筒10に対し内筒20が所定の相対回転位置にあるときに、互いに同軸上に一致する。
タンブラ孔13とタンブラ孔23は、内径を同じくする円孔である。
【００２６】
内筒20の７本のタンブラ孔23に、各タンブラ孔23に対応する所要長さの内側タンブラピン24を外側から挿入する。
内側タンブラピン24は、円柱状をなし、球面状をした底部がタンブラ孔23の鍵孔21との連通部の幅狭のところに係止すると、種々の長さを有する内側タンブラピン24は全てタンブラ孔23に没する。
【００２７】
この内側タンブラピン24を保持した内筒20を外筒10の円孔11に嵌挿し、内筒20の後端にシリンダカム28を取り付け内筒20を組付けた後に、外筒10の７本のタンブラ孔13に、各タンブラ孔23に対応する所要長さの外側タンブラピン14を挿入し、次いでタンブラスプリング15を挿入し、軸方向に長尺のリテーナプレート16を蟻溝10ｖに後方から差し込んで全てのタンブラスプリング15の端部を受けるようにする（図３，図４参照）。
【００２８】
このようにして組付けが終了したシリンダ錠１は、外筒10に対し内筒20を所定の相対回転位置にして外筒10のタンブラ孔13と内筒20のタンブラ孔23を同軸に一致させたとき、図３に示す施錠状態にある。
すなわち、タンブラスプリング15に付勢された外側タンブラピン15が内筒20のタンブラ孔23に入り、内側タンブラピン24に当接している。
【００２９】
図３に示すように、いずれの外側タンブラピン14も内筒20のタンブラ孔23に一部侵入して外筒10と内筒20の回転境界面でありシアラインＳに跨って位置し、外筒10に対する内筒20の相対回転を禁止して施錠状態としている。
【００３０】
該シリンダ錠１に使用される鍵30は、図１に示すように、指で掴む把持部31と鍵孔21に挿入されるブレード部32よりなり、把持部31より長尺に延びるブレード部32の上端縁に高さを順次変えた所定のキーコード33が形成されている。
また、鍵30のブレード部32の一側面には長尺方向（鍵挿入方向）に指向した溝条36が、１本ブレード部32の先端から把持部31近傍まで形成されている。
【００３１】
本鍵30に形成された溝条36の断面形状は、台形状をなしている。
したがって、本鍵30のブレード部32の横断面形状は、概ね長方形をなして、その長尺辺が溝条36により台形状に凹んだ形状をしている。
この鍵30のブレード部32が挿入される内筒20の鍵孔21も横断面形状がブレード部32の横断面形状と同じく概ね長方形をなして、その長尺辺が鍵孔内側面25ａに形成された案内突条26により台形状に凹んだ形状をしている（図４参照）。
【００３２】
内筒20の鍵孔21の相対向する鍵孔内側面のうち一方の鍵孔内側面25ａに形成された案内突条26は、鍵孔21に鍵30を挿入する際に、鍵30のブレード部32の一側面に形成された溝条36に嵌合して鍵30を案内する案内突条である。
【００３３】
このような内筒20の鍵孔21に鍵30のブレード部32が挿入されると、図５に示すように、ブレード部32のキーコード33に合せて互いに接触した内側タンブラピン24と外側タンブラピン14が全てタンブラスプリング15に抗してそれぞれ所定量移動して、内側タンブラピン24と外側タンブラピン14の接触面を全てシアラインＳに一致させ、外筒10に対する内筒20の相対回転を許可して解錠することができる。
【００３４】
以上のように作動する本シリンダ錠１は、内筒20が内筒本体部22と内筒突条部25に２つに分割されて構成されている。
図６を参照して、内筒突条部25は鍵孔21の案内突条26が形成された鍵孔内側面25ａを有して内筒本体部22から割り面で切り取られた部分である。
【００３５】
内筒突条部25の案内突条26が形成された鍵孔内側面25ａは鍵挿入方向に長尺の長方形をなし、鍵孔内側面25ａの一方の長尺辺25caが内筒20の外周面にある（図９参照）。
すなわち、内筒20の鍵孔21は内筒20の外周面に開口している。
【００３６】
そして、内筒突条部25は、鍵孔内側面25ａの他方の長尺辺25abを共通の一方の長尺辺25abとして、他方の長尺辺25bcを内筒20の外周面上とし鍵孔内側面25ａと約90度角度を有する鍵挿入方向に長尺の扁平台形状の扁平四角形割り側面25ｂを割り面として有するとともに、扁平四角形割り側面25ｂの短尺辺25bd，25beと鍵孔内側面25ａの短尺辺25ad，25aeと内筒20の外周面上の円弧状曲線25cd，25ceとの3辺で囲まれた略扇形状の両端の扇形割り端面25ｄ，25ｅを割り面として有する（図６ないし図９参照）。
【００３７】
すなわち、内筒20の鍵孔21の案内突条26を有する側方部分である内筒突条部25が、扁平四角形割り側面25ｂと扇形割り端面25ｄ，25ｅを割り面として内筒本体22から分割されて形成されている。
内筒突条部25は、案内突条26が形成された鍵孔内側面25ａと扁平四角形割り側面25ｂと内筒20の外周面の一部円弧面25ｃからなる鍵挿入方向に長尺の３つの側面25ａ，25ｂ，25ｃに囲まれ、両端の扇形割り端面25ｄ，25ｅを前後両端面とし、横断面形状が略扇形状をした細長い棒状をなしており、容易に鋳造成型することができる。
【００３８】
この内筒突条部25が内筒20から欠落した内筒本体部22は、内筒20のタンブラ孔23を含む大部分を残して、鍵孔21の側方の一部を欠いたものであり、内筒突条部25の扁平四角形割り側面25ｂと扇形割り端面25ｄ，25ｅにそれぞれ接する扁平四角形割り側面22ｂと扇形割り端面22ｄ，22ｅが形成されている（図６，図１０参照）。
【００３９】
内筒突条部25の扁平四角形割り側面25ｂが、鍵孔内側面25ａと共通の長尺辺25abより外周面上の長尺辺25bcが長い鍵挿入方向に長尺の扁平の等脚台形状をなし、両端の扇形割り端面25ｄ，25ｅが外側方から鍵孔内側面25ａに向かって互いに幅狭くなるように傾斜しており、内筒本体部22の扇形割り端面22ｄ，22ｅも同じく鍵孔21に向かって互いに幅狭くなるように傾斜している。
【００４０】
したがって、図６に示すように、内筒本体部22の扁平四角形割り側面22ｂと扇形割り端面22ｄ，22ｅに囲まれる欠落部分に、外側方から内筒突条部25の扁平四角形割り側面25ｂを扁平四角形割り側面22ｂに沿わせるようにして内筒突条部25を嵌挿すると、内筒本体部22の互いに幅狭くなるように傾斜した扇形割り端面22ｄ，22ｅに内筒突条部25の鍵孔内側面25ａに向かって互いに幅狭くなるように傾斜した扇形割り端面25ｄ，25ｅが当接して位置決めされる（図２，図１１参照）。
【００４１】
こうして内筒本体部22に内筒突条部25が組付けられた内筒20を外筒10の円孔11に嵌挿することで、内筒突条部25の円弧面25ｃが外筒10の円孔11の内周面に支持されて内筒突条部25が円筒本体部22に固定される（図４参照）。
このように、内筒突条部25を円筒本体部22に固定する特別の部材を必要とせず少ない部品点数で簡単な組付け作業によりシリンダ錠を構成することができる。
【００４２】
内筒本体部22は、真鍮製で切削加工により製造可能であるが、鍵孔21の案内突条26を有する内筒突条部25は、高硬度のステンレス鋼を素材として金型により射出加圧鋳造されて精度良く成形される。
したがって、鍵孔をブローチ削りによらずに鍵孔21の案内突条26を内筒突条部25と一体に短時間に精度良く形成し、内筒20およびシリンダ錠１を低コストに製造することができる。
【００４３】
内筒突条部25と一体の案内突条26は、高硬度であり、鍵挿入方向に長尺に形成されているので、ドリリングにより簡単に案内突条26が削り取られることがなく、安易に工具が鍵孔に挿入されるのを防止することができる。
【００４４】
以上の実施の形態に係るシリンダ錠１の内筒20は、分割された内筒突条部25が鍵孔内側面25ａに１本の案内突条26を有したものであったが、さらに２本以上の互いに平行な案内突条を鍵孔内側面25ａに設けるようにして鍵孔をより複雑にすることも可能である。
【００４５】
また、内筒の鍵孔の相対向する内側面の双方に案内突条を設けるべく内筒を３分割する実施の形態について、図１３および図１４に基づき説明する。
本シリンダ錠の外筒は、前記実施の形態の外筒10と同じであり、その外筒10の円孔11に嵌合する内筒50が、内筒本体部51から前記実施の形態の内筒突条部25と略同じ第１内筒突条部52および７本のタンブラ孔52ｈの各中心軸を含む平面に関して第１内筒突条部52と対称な第２内筒突条部53が分割されて構成されている。
【００４６】
第２内筒突条部53は、第１内筒突条部52と殆ど同じ形状をしているが、第１内筒突条部52は鍵孔内側面に１本の案内突条52１が形成されているのに対して、第２内筒突条部53の鍵孔内側面には、２本の案内突条53１，53２が案内突条52１を挟む上下位置に鍵挿入方向に指向して平行に形成されている（図１４参照）。
【００４７】
第１内筒突条部52の案内突条52１は、断面が等脚台形状をしているのに対して、第２内筒突条部53の案内突条53１，53２は、一方が三角形状の断面形状、他方が台形状の断面形状をしている。
したがって、本内筒50の鍵孔は、図１４に示すように、より複雑な形状とすることができる。
【００４８】
このように複雑な形状の鍵孔になると、益々ブローチ削りで加工することがブローチ自体が細長くなって容易でなくなるが、本実施の形態のように案内突条52１を有する第１内筒突条部52と案内突条53１，53２を有する第２内筒突条部53を内筒本体51から分割する構成にすることで、第１内筒突条部52と第２内筒突条部53を案内突条52１と案内突条53１，53２とともに金型により射出鋳造成型により容易に形成することができる。
【００４９】
次に、さらに別の実施の形態に係るシリンダ錠70について図１５ないし図１７に基づき説明する。
本シリンダ錠70は、内筒80以外は、前記図１ないし図１２に示されたシリンダ錠１と同じであり、同じ部材は同じ符号を用いるものとする。
【００５０】
内筒80は、内筒本体部82から前記内筒突条部25と近似した案内突条86を有する内筒突条部85が分割されて構成されている。
内筒本体部82には、鍵孔81に沿って７本のタンブラ孔83が並列に形成され、後端にカム嵌合部82ｒが突出して形成されている。
【００５１】
前記内筒突条部25は、扁平四角形割り側面25ｂが扁平台形状をしていたが、本内筒突条部85の扁平四角形割り側面85ｂは扁平な長方形をしており、よって扇形割り端面85ｄ，85ｅは鍵挿入方向に垂直な面をしている。
したがって、内筒本体部82に外側から内筒突条部25を嵌挿しても位置決めすることができない。
【００５２】
そこで、本内筒80は、内筒突条部85に鍵挿入方向に貫通して小径の円孔であるピン孔85ｐが穿孔され、ピン孔85ｐに対応する内筒本体部82に同軸にピン孔82ｐが形成されて、同ピン孔82ｐ，85ｐに嵌入された固定ピン88が内筒本体部82と内筒突条部85の扇形割り端面85ｄ，85ｅに跨って鍵挿入方向に貫通して内筒本体部82に内筒突条部85を固定する。
【００５３】
図１６に示すように、固定ピン88は内筒本体部82の後方からピン孔82ｐに嵌入されて後側扇形割り端面85ｅを跨いで内筒突条部85のピン孔85ｐを貫通し前側扇形割り端面85ｄを跨いで内筒本体部82のピン孔82ｐに前端を嵌入して内筒突条部85を内筒本体部82に固定しており、固定ピン88の後端はシリンダカム28に規制されて抜けないようになっている。
【００５４】
固定ピン88により内筒本体部82に内筒突条部85が固定されるので、内筒本体部82に内筒突条部85を固定した状態で組付けることができ、組付けられた内筒80を外筒10の円孔11により簡単に嵌挿することができる。
【００５５】
鍵孔の案内突条86を有する内筒突条部85は、ピン孔85ｐを含めて金型により射出鋳造成型することができ、鍵孔をブローチ削りによらずに形成し、短時間に低コストで内筒80を製造することができる。
鍵孔内側面には鍵挿入方向に長尺の案内突条86が高硬度の金属素材により形成されているので、ドリリングにより簡単に案内突条86が削り取られることがなく、安易に工具が鍵孔に挿入されるのを防止することができる。
【符号の説明】
【００５６】
１…シリンダ錠、
10…外筒、11…円孔、12…、13…タンブラ孔、14…外側タンブラピン、15…タンブラスプリング、16…リテーナプレート、
20…内筒、21…鍵孔、22…内筒本体部、23…タンブラ孔、24…内側タンブラピン、25…内筒突条部、26…案内突条、27…、28…シリンダカム、29…ねじ、
30…鍵、31…把持部、32…ブレード部、33…キーコード、36…溝条、
50…内筒、51…内筒本体部、52…第１内筒突条部、52１…案内突条、53…第２内筒突条部、53１，53２…案内突条、
70…シリンダ錠、80…内筒、81…鍵孔、82…内筒本体部、82ｐ…ピン孔、85…内筒突条部、85ｐ…ピン孔、86…案内突条、87…、88…固定ピン。
【図１】
0005478644.tif 000002
【図２】
0005478644.tif 000003
【図３】
0005478644.tif 000004
【図４】
0005478644.tif 000005
【図５】
0005478644.tif 000006
【図６】
0005478644.tif 000007
【図７】
0005478644.tif 000008
【図８】
0005478644.tif 000009
【図９】
0005478644.tif 000010
【図１０】
0005478644.tif 000011
【図１１】
0005478644.tif 000012
【図１２】
0005478644.tif 000013
【図１３】
0005478644.tif 000014
【図１４】
0005478644.tif 000015
【図１５】
0005478644.tif 000016
【図１６】
0005478644.tif 000017
【図１７】
0005478644.tif 000018